(57)【要約】      （修正有）【解決手段】Ｐａｎｔｓ前立中心部線は１．５ｃｍ横に、後身頃、後尻中心線は前身小股縫目を１．５左にづらしている。新正弦定理三角形はフロントセンター８５度線上に６０度タックをジッパー部オープン常態で縫代をＶ開き裁断に変える事で不動位置が保たれ、股下寸法も変動しない利点があり、カンヌキ下は制限定理三角形タックも簡単に裁断可能となる。【効果】転倒人身事故が少くなるのは右足股と膝こぞう間の１．５ｃｍ違い圧迫は起さない、ので、尻部の身体ねぢれも起さないので、人体の尻部はピップアップ効果を発生させて尻部と足部をスリムに美しく形成し本発明の一枚布裁断で、さらに、人間の皮膚一枚の動きをオートマチックに美ヒップと美脚作用効果で本発明Ｐａｎｔｓは自動車運転のアクセル板、ブレーキ板の踏み外す事はない。【選択図】図１
2008208507.tif 000002
【特許請求の範囲】
【請求項１】
布地を立体形凸部又は凹部を形成する特願２００７−０３２６５２号の〔請求項４〕の追加する発明であって、基本的原理は８５°度線上に正弦定理６０°三角形を前身縫代上にｙ形６０°切断したタックを形成する事にある方法は特許願２００７−０３２６５２号の請求項４の方法図４（ａ）〜（ｃ）を逆立ちを本発明で応用した図１〜（ａ）の型紙縮小図の６０°Ｖカット下タックはｙ字形は８５°線上に正弦定理６０°三角形原理は同じであるが、裁断部の製造工程をシンプルにしたので大量の裁断出来る方法で、型紙作製上逆ｙ字型６０°裁断は、通常の左前立を右前立（女性用）にする事も関単に出来る。図３（ａ）のＦＣフロントセンターを前立中央部の股下８５°部は後ろ身ｂａｃｋｅｒに縫連結が出来ると新正弦定理６０°Ｖ型三角形が重なってカンヌキ上に新ピラミッドがＦＣの中央部凸が出現する。Ｐａｎｔｓストッキング及びＰａｎｔｓ及びＣａｒシート又はＣａｒシートカバー取付関単に出来る布地の製造装置。
【請求項２】
本発明の目的は一枚布図１（ａ）〜（ｉ）のワンカット裁断図〜（ｄ）が基本で有るが、本型紙ワンピースを布地裁断の時布地節約（ブドマリ）で２〜ピース、３〜ピース、４〜ピースカット裁断しても本発明の原理の基本は、パンツフロント中心線を８５°線上に正弦定理三角形（不規則三角形）を前身小股６０°タック（又はダーツ）を後身に縫付ける方法請求項１からなる、全パンツのワンカット原理を使った型紙を２〜４ピースカット分けて布地を節約（ブドマリ）の裁断方法は請求項１からなる製造装置
【発明の詳細な説明】
【技術分野】
【０００１】本発明は先の特願２００７−０３６５２号の請求項４の不足部分の追加特願での応用原理で逆ｙと正ｙタックで一枚の平面布地を正弦定理三角立体の頂上２６でＰａｎｔｓやＣａｒシートの布地の裁断方法に関する。
【背景技術】
【０００２】従来、Ｐａｎｔは四枚の主布地、前身左と右二枚と後身左と右二枚で四枚布が常識で、前立部はＺｉｐｐｏｒテープを上前で覆い隠す目的で前立部の上前が下前を中心フロントセンターよりも喰い込１．５ｃｍで、右股下右足を引き攣り欠陥現象のビッコＰａｎｔｓが常識で発生する歩行・走行の転倒は数知れず、さらに自動車走行中、前立下、引き攣りでブレーキかけを遅す欠陥Ｐａｎｔｓ。
【発明が解決しようとする課題】
【０００３】前特願２００７−０３２６５２号の請求項４の図４（ａ）〜（ｃ）の相対性裁断方法で大量裁断の８０°度線上カンヌキ上、立体ピラミッド６０°タックは縫製時、分量が大小異なる誤差が発生すると、股下前身と後身縫いで寸法誤差不合致が表れる。
【課題を解決するための手段】
【０００４】前特願２００７−０３２６５２号の図４（ａ）〜（ｃ）方法前発明の発明者は請求項４の図（ｂ）タック６０度を半回転を本発明図１（ａ）で６０度をＺｉｐｐｏｒ部オープン常態に縫代をＶ開き裁断に変える事で、前身フロントセンター８５°は不動位置が保たれて、股下寸法も変動しない利点がある。
カンヌキ下は正弦定理三角形タックも関単に出来る裁断可能。
【発明を実施するための最良の形態】
【０００５】本図１（ａ）〜（ｈ）本発明の実施の形態は特願２００７−０３２６５２号の〔図４〕（ａ）〜（ｃ）と〔図５〕（ａ）〜（ｊ）の本発明の基本の原理の応用翩中心フロントセンター８５°線上ＺｉｐＲｏｒテープ６０°開封裁断のカンヌキ部正弦定理三角形タック本発明図１（ａ）はｙ字形タックを発明した。【０００６】図２（ａ）〜（ｅ）は本発明の自動車用布地シート（皮も含む）及びシートカバーの布地シートをダーツ又はタックをｙ字形及び逆ｙ字形の相対性ストレッチ出来る布地を立体形で皴を出さない伸張シート布地体の裁断による製造方法。【０００７】図３（ａ）〜（ｅ）は本発明のＰａｎｔｓの一部分のフロントセンター原理発明と今現在のＰａｎｔｓの欠陥フロント。
【実施例】
【０００８】（実施例１）図１は特願２００７−０３２６５２号の図４（ｂ）を本発明の方法で、８５°度線基点カンヌキ部の上Ｏで６０度開封２４を形成したカンヌキ２６下は２７左タックで図１（ｂ）は特願２００７−０３２６５２号と同じ原理論の裾末広がり２７タック図１（ｂ）股下末広がり（ｓｐｒｅａｄｉｎｇ  ｏｕｔ）タック２７である【０００９】（実施例２）図２は本発明のタックは新正弦定理三角形タックは男性用左上前２７左とした自動車シート図２〜（ｃ）で次に女性用右上前２７右タックでヘアーの自動車布シートであり（ｅ）図はｙ型タック６０°と逆ｙ型６０°タック違いである【００１０】（実施例３）図３は本発明は（ａ）〜（ｂ）図（ａ）と写真図（ｂ）でＰａｎｔｓ中心フロントセンター線は前立中央部の位置し、股下縫上り後身も中心方向尻縫い股Ｔ型後身尻センター方向で縫い上りで、前身と後身の中心線は同じである次に欠陥品Ｐａｎｔｓで同じ図３の（ｃ）〜（ｅ）は従来のＰａｎｔｓは下前引攣り１．５ｃｍ現象図と写真図でフロントセンター垂直線上に後身尻縫と合致しない、今現在Ｐａｎｔｓの欠陥を発見した図である。これによって右足股引き攣り現象で膝右こぞうと股下が引き攣り合う事で転倒人身事故が起る。
【発明の効果】
【００１１】本発明の最大の効果はＰａｎｔｓの左足と右足が同じ距離の動作で歩行走行出来るので、転倒人身事故が少くなるのは右足股と膝こぞう間の１．５ｃｍ違い圧迫は起さない、ので、尻部の身体ねぢれも起さないので、人体の尻部はピップアップ効果を発生させて尻部と足部をスリムに美しく形成し本発明の一枚布裁断で、さらに、人間の皮膚一枚の動きをオートマチックに美ヒップと美脚作用効果で本発明Ｐａｎｔｓは自動車運転のアクセル板、ブレーキ板の踏み外す事はない。又自動車シート〔図２〕（ｂ）の座席は左バイアス右バイアスＳｔｒｅｔｃｈａｂｌｅ布効果で、さらに運転中のＳｔｒｅｔｃｈａｂｌｅ効果で疲労を少くする、これらは、一枚布地で立体形ストレッチ出来る原理で新正弦定理（歪み三角形）の中心をフロントセンターに求めた原理が８５°線上の中心に向って６０°タックが一枚布地、パンツ裁断によるパンツ製造を可能した発明効果である。
【図面の簡単な説明】
【００１２】
【図１】（ａ）〜（ｈ）は本発明の第１の一枚布Ｐａｎｔｓ及びＰａｎｔｓフォーズ（ストッキング）と正弦定理三角ダーツの手順を模式的に説明する説明図である。
【図２】（ａ）〜（ｅ）は本発明の自動車シート及びシートカバーを本発明の布地の第１の実施例のダーツの裁断と縫製部分の手順を模式的に模式的に示す説明図である。
【図３】（ａ）〜（ｅ）は本発明の第１の実施例のフロントセンター中心を前立中心と尻縫中心が交差する。正しい方法でヒッフアップ機能は、中心が前身と後身が合致でストレッチ出来る図（ｃ）〜（ｅ）は今現在パンツは、コンパスで例えると中心軸１．５ｃｍ破損と同じ常態でパンツの常態（ｃ）〜（ｅ）は中心部フロントセンターと後身バックセンター縫いが（ｄ）〜（ｅ）の様に左から右、右から左と膝こぞう引攣れ欠陥を手順を模式的に示す説明図である。
【符号の説明】
【００１３】〔符号の説明〕
Ｏ・・・・基点  上前と下前が交差するカンヌキ部タック合せ
２２・・・・Ｐａｎｔｓ又は自動車シート前立（上前）縫代部
２３・・・・Ｐａｎｔｓテング部下前縫代部（自動車シート下前部）
２４・・・・Ｐａｎｔｓ前立（上前）と（下前）切断の６０°空間部
２５・・・・Ｐａｎｔｓ及（自動車シート）用Ｚｉｐｐｏｒテープ隠し部（下前）
２６・・・・Ｐａｎｔｓ及び（自動車シート）前立下中央部で重なりカンヌキ部
２７・・・・Ｐａｎｔｓ及び自動車シートの正弦定理３角形タック取り
２９        Ｐａｎｔ尻後中心縫目後身頃部
【図１】
2008208507.tif 000003
【図２】
2008208507.tif 000004
【図３】
2008208507.tif 000005